(57)【特許請求の範囲】
【請求項１】
底板(２)から側板(３)を起立する容器体(１)と、該容器体の側板(３)外面へ嵌合させた周壁(１１)上面を頂壁(１２)で閉塞した蓋体(１０)とを備え、該蓋体(１０)の頂壁(１２)に開孔(１３、１４)を形成した容器において、
前記蓋体(１０)の頂壁(１２)を前記周壁(１１)の後面沿いに延設して載置面形成壁(１１ａ)に形成すると共に、前記頂壁(１２)から載置面形成壁(１１ａ)の下端にかけて破断線(１５)を穿設して、該破断線(１５)で囲まれた頂壁(１２)および載置面形成壁(１１ａ)部分をフック形成部(１６)に形成すると共に、該フック形成部下端から差込部(２０)を垂設し、
前記載置面形成壁(１１ａ)を載置面にして前記蓋体(１０)および容器体(１)を直立可能に設け、
さらに、前記破断線(１５)の破断で分離された前記フック形成部(１６)の前記差込部(２０)を前記開孔(１４)へ嵌合させて該フック形成部(１６)を、該フック形成部(１６)の分離により形成された前記容器体頂壁(１２)の開口面との間に間隔をおいて該開口面沿いに垂下させることで該フック形成部(１６)を他物へ引っ掛け可能に設けた
ことを特徴とする容器。
【請求項２】
前記フック形成部(１６)の左右両端部下端を下方へ延設して前記差込部(２０)に形成し、該差込部(２０)基端に前記開孔(１４)周縁へ係合可能なくびれ部(１９)を設けたことを特徴とする請求項１記載の容器。
【請求項３】
前記破断線(１５)の破断で分離されたフック形成部(１６)の前記差込部(２０)を前記開孔(１４)へ嵌合させることで前記蓋体(１０)の周壁(１１)部分(１１ｂ)先端が前記蓋体頂壁(１２)の外面へ当接可能に設けたことを特徴とする請求項１または２記載の容器。
【請求項４】
前記開孔(１３)を前記蓋体頂壁(１２)の中央部に設けると共に、前記頂壁(１２)下面を厚肉部に形成して、該厚肉部に前記差込部(２０)を嵌合させる開孔(１４)を形成し、
また、前記フック形成部(１６)の前端中央部に指掛け用の切欠部(１７)を設けたことを特徴とする請求項１から３のいずれか１項記載の容器。
【請求項５】
底板(２)から側板(３)を起立する容器体(１)と、該容器体の側板(３)外面へ嵌合させた周壁(１１)上面を頂壁(１２)で閉塞した蓋体(１０)とを備え、該蓋体の頂壁(１２)に開孔(１３)を形成した容器において、
前記蓋体(１０)の頂壁(１２)を前記周壁(１１)の後面沿いに延設して載置面形成壁(１１ａ)に形成すると共に、前記蓋体頂壁(１２)の左右両端部から周壁(１１)の左右両面下端にかけて薄肉線(４０)を形成して、該薄肉線(４０)で囲まれた頂壁(１２)および周壁(１１)部分をフック形成部(４１)に形成すると共に、該フック形成部(４１)に後端開口の切欠部(４３)を形成し、さらに、前記頂壁(１２)に設けられた薄肉線(４０)の中央部を薄肉ヒンジ(４４)に形成すると共に、該薄肉ヒンジ(４４)を除いた薄肉線部分を破断線(４５)に形成し、
前記蓋体(１０)の載置面形成壁(１１ａ)を載置面にして前記蓋体(１０)および容器体(１)を直立可能に設け、
さらに、前記薄肉ヒンジ(４４)を回動軸部として前記左右一対のフック形成部(４１)を左右方向内方へ回動させることで前記破断線(４５)を破断させて前記フック形成部(４１)を起立させることにより前記切欠部(４３)を他物へ引っ掛け可能に設けた
ことを特徴とする容器。
【請求項６】
前記フック形成部(４１)の外面に突部(４６)を形成して、前記フック形成部(４１)の起立時に、前記突部(４６)が前記開孔(１３)へ係合可能に設けたことを特徴とする請求項５記載の容器。
【発明の詳細な説明】
【技術分野】
【０００１】
本発明は脱臭剤等を収納する容器に関する。
【背景技術】
【０００２】
吸収剤等が収納された容器体を縦長にした縦置き型といわれる容器が従来技術として知られている。
【先行技術文献】
【特許文献】
【０００３】
【特許文献１】特開２００１−２６１０８０号公報
【発明の概要】
【発明が解決しようとする課題】
【０００４】
縦置き型の容器はスペースをとらないため多く使用されているが、使用箇所によっては横長の平置き型といわれるものや吊下げ型が適している場合がある。しかし、現状の容器では使用箇所に応じて使い分けることができなかった。
【０００５】
本発明は、上記課題を解決するためになされたもので、縦置きと平置きが兼用可能で、吊下げ式にも使用できる容器を提供することを目的とする。
【課題を解決するための手段】
【０００６】
上記課題を解決するために、本発明は、底板２から側板３を起立する容器体１と、該容器体の側板３外面へ嵌合させた周壁１１上面を頂壁１２で閉塞した蓋体１０とを備え、該蓋体１０の頂壁１２に開孔１３、１４を形成した容器において、
前記蓋体１０の頂壁１２を前記周壁１１の後面沿いに延設して載置面形成壁１１ａに形成すると共に、前記頂壁２から載置面形成壁１１ａの下端にかけて破断線１５を穿設して、該破断線１５で囲まれた頂壁１２および載置面形成壁１１ａ部分１１ｂをフック形成部１６に形成すると共に、該フック形成部下端から差込部２０を垂設し、
前記載置面形成壁１１ａを載置面にして前記蓋体１０および容器体１を直立可能に設け、
さらに、前記破断線１５の破断で分離された前記フック形成部１６の前記差込部２０を前記開孔１４へ嵌合させて該フック形成部１６を、該フック形成部１６の分離により形成された前記容器体頂壁(１２)の開口面との間に間隔をおいて該開口面沿いに垂下させることで該フック形成部１６を他物へ引っ掛け可能に設けた
ことを特徴とする。
【０００７】
また、本発明は、前記フック形成部１６の左右両端部下端を下方へ延設して前記差込部２０に形成し、該差込部２０基端に前記開孔１４周縁へ係合可能なくびれ部１９を設けたことを特徴とする。
【０００８】
さらに、本発明は、前記破断線１５の破断で分離されたフック形成部１６の前記差込部２０を前記開孔１４へ嵌合させることで前記蓋体１０の周壁１１部分先端が前記蓋体頂壁１２の外面へ当接可能に設けたことを特徴とする。
【０００９】
さらに、本発明は、前記開孔１３を前記蓋体頂壁１２の中央部に設けると共に、前記頂壁１２前端の左右２箇所の下面を厚肉部に形成して、該厚肉部に前記差込部２０を嵌合させる開孔１４を形成し、
また、前記フック形成部１６の前端中央部に指掛け用の切欠部１７を設けたことを特徴とする。
【００１０】
さらに、本発明は、底板２から側板３を起立する容器体１と、該容器体の側板３外面へ嵌合させた周壁１１上面を頂壁１２で閉塞した蓋体１０とを備え、該蓋体の頂壁１２に開孔１３を形成した容器において、
前記蓋体１０の頂壁１２を前記周壁１１の後面沿いに延設して載置面形成壁１１ａに形成すると共に、前記蓋体頂壁１２の左右両端部から周壁１１の左右両面下端にかけて薄肉線４０を形成して、該薄肉線４０で囲まれた頂壁１２および周壁１１部分をフック形成部４１に形成すると共に、該フック形成部４１に後端開口の切欠部４３を形成し、さらに、前記頂壁１２に設けられた薄肉線４０の中央部を薄肉ヒンジ４４に形成すると共に、該薄肉ヒンジ４４を除いた薄肉線部分を破断線４５に形成し、
前記蓋体１０の載置面形成壁１１ａを載置面にして前記蓋体１０および容器体１を直立可能に設け、
さらに、前記薄肉ヒンジ４４を回動軸部として前記左右一対のフック形成部４１を左右方向内方へ回動させることで前記破断線４５を破断させて前記フック形成部４１を起立させることにより前記切欠部４３を他物へ引っ掛け可能に設けた
ことを特徴とする。
【００１１】
さらに、本発明は、前記フック形成部４１の外面に突部４６を形成して、前記フック形成部４１の起立時に、前記突部４６が前記開孔１３へ係合可能に設けたことを特徴とする。
【発明の効果】
【００１２】
本発明は、載置面形成壁を載置面にして蓋体および容器体が直立可能に設けたので、縦置きとして使用する場合にも安定性が損なわれることがなく、このため平置き型の容器を縦置き型に兼用させることができると共に、破断線の破断で分離されたフック形成部を、該フック形成部の分離により形成された容器体頂壁の開口面沿いに垂下させることで該フック形成部を他物へ引っ掛け可能に設けたので、吊下げ型としても使用可能である。
【００１３】
また、本発明は、左右一対のフック形成部を左右方向内方へ回動させることで破断線を破断させてフック形成部を起立させることにより他物へ引っ掛け可能に設けたので、フック形成部の回動のみで容易に吊下げ型として使用可能である。
【図面の簡単な説明】
【００１４】
【図１】本発明に係る容器の斜視図である。
【図２】縦置き状態の斜視図である。
【図３】作用説明図である。
【図４】作用説明図である。
【図５】作用説明図である。
【図６】吊下げ式の斜視図である。
【図７】図２の縦断面図である。
【図８】図６の縦断面図である。
【図９】他の実施形態の斜視図である。
【図１０】縦置き状態の斜視図である。
【図１１】吊下げ式の斜視図である。
【図１２】図１０の縦断面図である。
【図１３】作用を説明する横断面図である。
【発明を実施するための形態】
【００１５】
以下、本発明の実施の形態について、図面を参照しながら詳細に説明する。なお、説明の便宜上、図１において右方向を前方向とする。
【００１６】
図１において、１は容器体で、底板２の周縁から側板３を起立させ、かつ該側板３の下部肉厚を上部より大にすることで、側板３外面に段部４を形成する。容器体１内には内容物５としてのゲル状の吸収剤等を収納する。なお、本実施形態では内容物としてゲル状の脱臭剤等を例に挙げるが、内容物としてはこれに限らず芳香剤等種々の物を収納可能である。
【００１７】
１０は蓋体で、容器体１の側板３の上部外面へ嵌合させた周壁１１の上面を閉塞する頂壁１２を周壁１１の後面沿いに間隔をあけて延設して載置面形成壁１１ａに形成すると共に、周壁１１の左右両面後端を後方へ延設して載置面形成壁１１ａの左右両端に一体に連結させ、さらに頂壁１２の中央部に複数の開孔１３を形成すると共に、頂壁１２前端の左右２箇所の下面を厚肉部に形成して、該厚肉部に差込用の開孔１４を形成する。
【００１８】
蓋体１０の頂壁１２には、さらに、破断線１５を形成する。破断線１５は開孔１３、１４を除いた頂壁部分の前部から載置面形成壁１１ａ下端にかけて延びるコ字状に形成し、破断線１５で囲まれた頂壁１２部分と載置面形成壁１１ａ部分をフック形成部１６に形成する。そして、フック形成部１６の前端中央部に指掛け用の切欠部１７を形成すると共に、フック形成部１６の左右両端部の下端を下方へ延設して差込部２０に形成して、その基端に開孔１４の下端周縁へ係合可能なくびれ部１９を設ける。
【００１９】
次に作用について説明する。図１は容器体１の底板２を載置面として容器を平置きにした状態を示す。容器を縦置きにして使用する場合には、図２に示すように蓋体１０の載置面形成壁１１ａを下面にして、蓋体１０と容器体１を起立させればよい。
【００２０】
容器を吊下げて使用する場合には、容器体１から蓋体１０を取外した後、図３に示すように指掛け用の切欠部１７に指を掛けてフック形成部１６を上方へ引く。すると図４に示すように破断線１５を構成する薄肉部１５ａが破断してフック形成部１６が蓋体１０から分離する。フック形成部１６の分離により蓋体頂壁１２に開口が形成され、後述するように該開口面沿いに分離されたフック形成部１６が垂下する。なお、破断線１５の薄肉部１５ａは図３に示すように切欠部１７の左右両側と蓋体１０の載置面形成壁１１ａの左右２箇所に設けるのが好ましい。
【００２１】
次いで、図６に示すように差込部２０を開孔１４へ嵌合させると、フック形成部１６が蓋体１０の開口面から間隔をおいて開口面沿いに垂下すると共に、周壁の後壁部分先端１１ｂが蓋体１０の頂壁１２の前端部へ当接する。使用するにはフック形成部１６を他物３０、例えば、冷蔵庫のドアポケット等に引っ掛ければよい。
【００２２】
図９ないし図１３は他の実施形態を示す。本実施形態はフック形成部の形態において第１実施形態と相違する。すなわち、図９に示すように蓋体頂壁１２の左右両端部から周壁１１の左右両面にかけてコ字状の薄肉線４０を形成して、該薄肉線４０の両下端を周壁１１の左右両面下端へ到達させることにより薄肉線４０で囲まれた頂壁１２および周壁１１部分をフック形成部４１に形成すると共に、フック形成部４１の垂下部分４２に後端開口の切欠部４３を形成し、頂壁１２に設けられた薄肉線４０の前後方向へ延びる部分を薄肉ヒンジ４４に形成すると共に、薄肉ヒンジ４４を除いた薄肉線部分を破断線４５に形成する。
【００２３】
さらに、薄肉ヒンジ４４に近接したフック形成部４１部分の外面に開孔１３へ係合可能な突部４６を形成する。その他の構成は第１実施形態と同一であるから説明を省略する。
【００２４】
次に作用について説明する。図９は平置きの状態、図１０は縦置きの状態を示す。吊下げて使用するには、図１１に示すように薄肉ヒンジ４４を回動軸部として左右一対のフック形成部４１を左右方向内方へ回動させることにより破断線４５を破断させてフック形成部４１を起立させる。すると突部４６が隣接する開孔１３へ係合する。使用するにはフック形成部４１の切欠部４３を、例えば、冷蔵庫のドアポケット等の他物３０に引っ掛ければよい。
【産業上の利用可能性】
【００２５】
本発明は、脱臭剤等を収納する容器の分野に利用することができる。
【符号の説明】
【００２６】
１  容器体
２  底板
３  側板
１０  蓋体
１１  周壁
１１ａ  載置面形成壁
１２  頂壁
１３  開孔
１５  破断線
１６  フック形成部
１７  切欠部
４０  薄肉線
４１  フック形成部
４４  薄肉ヒンジ
４５  破断線
４６  突部
【図１】
0005472926.tif 000002
【図２】
0005472926.tif 000003
【図３】
0005472926.tif 000004
【図４】
0005472926.tif 000005
【図５】
0005472926.tif 000006
【図６】
0005472926.tif 000007
【図７】
0005472926.tif 000008
【図８】
0005472926.tif 000009
【図９】
0005472926.tif 000010
【図１０】
0005472926.tif 000011
【図１１】
0005472926.tif 000012
【図１２】
0005472926.tif 000013
【図１３】
0005472926.tif 000014